(57)【要約】【課題】  多数の感染症患者が発生した場合でも、搬送スタッフの安全を確保しながら感染症患者を医療施設に迅速に搬送可能にした感染症患者搬送用マスクを提供することを目的とする。【解決手段】  感染症患者搬送用マスク１のマスク本体２を感染症患者（感染症の疑いのある患者も含む）Ａの頭部全体を覆うようにして被せ、ゴム材（不図示）が取付けられているマスク下部２ａを感染症患者Ａの首部の周囲に密着させてベルト部材４で留めてシールし、マスク本体２に管７を介して接続した給排気装置６で汚染除去した空気を排気して、マスク本体２内を負圧した状態で搬送を行う。【選択図】      図１
2005185749.tif 000002
【特許請求の範囲】
【請求項１】
感染症に感染した患者若しくは感染症に感染した疑いのある患者の首部から上の頭部全体を覆うような形状に成形されたマスク本体と、
前記マスク本体の患者の顔面側が位置する前面側に設けた、透明又は半透明な材質からなるゴーグル部と、
前記マスク本体に設けた、汚染されていない空気だけを通すフィルター部と、
前記マスク本体の下部に設けた、患者の頭部を前記マスク本体で覆ったときに患者の首部周囲をシールするシール部材と、を備え、
前記マスク本体を患者の頭部を覆うようにして被せた際に、前記シール部材で患者の首部周囲をシールすると共に、前記マスク本体内から汚染除去フィルターを通してクリーンな空気だけを外に排気して前記マスク本体内を負圧にする排気装置を、管を介して前記マスク本体に着脱自在に接続する、
ことを特徴とする感染症患者搬送用マスク。
【請求項２】
感染症に感染した患者若しくは感染症に感染した疑いのある患者の首部から上の頭部全体を覆うような形状に成形されたマスク本体と、
前記マスク本体の患者の顔面側が位置する前面側に設けた、透明又は半透明な材質からなるゴーグル部と、
前記マスク本体に設けた、汚染されていない空気だけを通すフィルター部と、
前記マスク本体の下部に設けた、患者の頭部を前記マスク本体で覆ったときに患者の首部周囲をシールするシール部材と、を備え、
前記マスク本体を患者の頭部を覆うようにして被せた際に、前記シール部材で患者の首部周囲をシールすると共に、前記マスク本体内から汚染除去フィルターを通してクリーンな空気だけを外に排気して前記マスク本体内を負圧にする、又は外から汚染除去フィルターを通してクリーンな空気だけを前記マスク本体内に給気して前記マスク本体内を正圧にするように切換え自在な給排気装置を、管を介して前記マスク本体に着脱自在に接続する、
ことを特徴とする感染症患者搬送用マスク。
【請求項３】
前記排気装置を保持部材によって患者の腰部又は肩部又は上腕部に保持する、
ことを特徴とする請求項１に記載の感染症患者搬送用マスク。
【請求項４】
前記給排気装置を保持部材によって患者の腰部又は肩部又は上腕部に保持する、
ことを特徴とする請求項２に記載の感染症患者搬送用マスク。
【発明の詳細な説明】
【技術分野】
【０００１】
本発明は、細菌やウィルスなどの感染症に感染した患者若しくは感染症に感染した疑いのある患者を搬送する際に用いる感染症患者搬送用マスクに関する。
【背景技術】
【０００２】
例えば新型肺炎（重症急性呼吸器症候群：ＳＡＲＳ）などの感染症に感染した感染症患者、若しくはこれらの感染症に感染した疑いのある患者が発生した場合、搬送スタッフの安全を確保し、かつ周囲の人に感染が広がらないようにして、感染症患者（感染症の疑いのある患者も含む）を救急車で医療施設の感染症患者専用病室に迅速に搬送する必要がある。
【０００３】
しかしながら、従来では国内で深刻な感染症に感染した感染症患者の発生がほとんど報告されていないこともあり、感染症患者の発生に対して自治体での備えや装備等が不十分なのが現状である。このため、最近では、新型肺炎（ＳＡＲＳ）などの感染症患者（感染症の疑いのある患者も含む）が発生した場合に備えて、搬送スタッフの安全を確保しつつ感染症患者を搬送できるように改造した救急車（感染症患者搬送車）が用意されるようになってきた（例えば、非特許文献１参照。）。
【０００４】
上記感染症患者搬送車には、折り畳み自在なストレッチャー上に外部に汚染空気が漏れないようにした患者搬送用カプセル（アイソレーター）を備えており、この患者搬送用カプセル内に感染症患者を収容して搬送する。
【非特許文献１】〈練馬区  最新のできごと〉、“平成１５（２００３）年１１月２０日のできごと”、［online］、［平成１５年１２月１２月２２日検索］、インターネット〈URL：//www.city.nerima.Tokyo.jp/news/200311/n031120a.html〉
【発明の開示】
【発明が解決しようとする課題】
【０００５】
しかしながら、上記のような感染症患者搬送車は、高価なため台数はまだ少なく、多数の感染症患者が発生した場合には、すべての感染症患者を医療施設（感染症患者専用病室）に迅速に搬送することができない。また、感染症患者搬送車に装備される患者搬送用カプセルは大きくて重量も重いので、感染症患者を収容して感染症患者搬送車内に乗せる際には複数の搬送スタッフが必要となる。
【０００６】
そこで本発明は、多数の感染症患者が発生した場合でも、搬送スタッフの安全を確保しながら感染症患者を医療施設に迅速に搬送可能にした感染症患者搬送用マスクを提供することを目的とする。
【課題を解決するための手段】
【０００７】
上記目的を達成するために請求項１に係る発明は、感染症に感染した患者若しくは感染症に感染した疑いのある患者の首部から上の頭部全体を覆うような形状に成形されたマスク本体と、前記マスク本体の患者の顔面側が位置する前面側に設けた、透明又は半透明な材質からなるゴーグル部と、前記マスク本体に設けた、汚染されていない空気だけを通すフィルター部と、前記マスク本体の下部に設けた、患者の頭部を前記マスク本体で覆ったときに患者の首部周囲をシールするシール部材と、を備え、前記マスク本体を患者の頭部を覆うようにして被せた際に、前記シール部材で患者の首部周囲をシールすると共に、前記マスク本体内から汚染除去フィルターを通してクリーンな空気だけを外に排気して前記マスク本体内を負圧にする排気装置を、管を介して前記マスク本体に着脱自在に接続することを特徴としている。
【０００８】
また、請求項２に係る発明は、感染症に感染した患者若しくは感染症に感染した疑いのある患者の首部から上の頭部全体を覆うような形状に成形されたマスク本体と、前記マスク本体の患者の顔面側が位置する前面側に設けた、透明又は半透明な材質からなるゴーグル部と、前記マスク本体に設けた、汚染されていない空気だけを通すフィルター部と、前記マスク本体の下部に設けた、患者の頭部を前記マスク本体で覆ったときに患者の首部周囲をシールするシール部材と、を備え、前記マスク本体を患者の頭部を覆うようにして被せた際に、前記シール部材で患者の首部周囲をシールすると共に、前記マスク本体内から汚染除去フィルターを通してクリーンな空気だけを外に排気して前記マスク本体内を負圧にする、又は外から汚染除去フィルターを通してクリーンな空気だけを前記マスク本体内に給気して前記マスク本体内を正圧にするように切換え自在な給排気装置を、管を介して前記マスク本体に着脱自在に接続することを特徴としている。
【発明の効果】
【０００９】
本発明に係る感染症患者搬送用マスクは、コンパクトで手軽に持ち運びできるので、感染症患者（若しくはその疑いのある患者）がどこで発生しても迅速に駆けつけて、マスク本体で患者の頭部を覆って素早く容易に搬送することができることにより、多数の感染症患者が発生した場合でも迅速に対処することができる。
【００１０】
また、本発明に係る感染症患者搬送用マスクは、感染症患者（若しくはその疑いのある患者）をマスク本体で患者の頭部を覆った状況で、接続される排気装置（又は給排気装置）による排気によってマスク本体内を負圧にすることができるので、マスク本体内の汚染された空気が外に漏れることが防止されることによって、患者を搬送する搬送スタッフの安全を確実に確保することができ、かつ周囲の環境汚染を防止することができる。
【発明を実施するための最良の形態】
【００１１】
以下、本発明を図示の実施形態に基づいて説明する。
〈実施の形態１〉
図１は、本発明の実施形態１に係る感染症患者搬送用マスクを感染症患者が被った状態を示す図である。
【００１２】
本実施形態に係る感染症患者搬送用マスク１は、合成樹脂シート（例えばポリエステルシート）で袋状に形成されたマスク本体２を備えており、マスク本体２は感染症患者（感染症の疑いのある患者も含む）Ａの首部から上の頭部全体を覆うような形状に成形されている。マスク本体２の前面側（感染症患者Ａの顔面側）に形成した開口には、透明なプラスチックからなる湾曲面状のゴーグル部３がシールされて取付けられている。ゴーグル部３は、感染症患者Ａの目、鼻、口が位置するように大きく形成されている。
【００１３】
マスク本体２の筒状のマスク下部（感染症患者Ａの首部が位置する部分）２ａは、伸縮性のある合成樹脂シートで形成され、且つその上部（感染症患者Ａの頭部が位置する部分）よりも細く形成されている。また、感染症患者Ａの首部にフィットするようにマスク下部２ａの周面に沿って帯状のゴム材（不図示）が取付けられている。マスク下部２ａの外周面には面ファスナー（例えば、マジックテープ（商標名））式のベルト部材４が取付けられており、感染症患者Ａの首部での良好なシール性とフィット感が得られるようにしている。
【００１４】
マスク本体２の両側部（感染症患者Ａの両耳が位置する側面部分）近傍には、細菌やほとんどのウィルスを通さずに汚染されていない空気だけを通すことができるフィルター部材５ａ、５ｂがそれぞれ取付けられている。本実施形態で用いたフィルター部材５ａ、５ｂは、新型肺炎（ＳＡＲＳ）ウィルスや炭そ菌ウィルス等のウィルスは通さないような仕様になっている。また、図２に示すように、マスク本体２の後部（感染症患者Ａの後頭部が位置する部分）の下部には、先端に給排気装置６を着脱自在に装着可能なフレキシブルな管７が連結されている。管７は伸縮自在な構造であり、その先端側は感染症患者Ａの腰部近傍まで伸びている。
【００１５】
給排気装置６は、管７に対する接続向きを１８０度回転させることによって排気と給気の切換えを行うことができる。管７の先端に接続される給排気装置６は、図３に示すように、その両端部にはマスク本体２内を負圧（陰圧）にする際に管７の先端に接続する排気用接続部８と、マスク本体２内を正圧（陽圧）にする際に管８の先端に接続する給気用接続部９を有し、内部には細菌やウィルスを通さずに汚染されていない空気だけを通すことができる取外し自在な汚染除去フィルター１０と、モータ１１に連結されたファン１２と、モータ１１を回転駆動するための電池１３を備えている。本実施形態の場合では、給排気装置６の排気用接続部８側が管７の先端に接続される。
【００１６】
電池１３はどこでも用意に手に入る一般的な電池である。給排気装置６の排気用接続部８と給気用接続部９には、管７の先端に接続した際に外れないようにロック部（不図示）が設けられている。また、給排気装置６にはベルト１４が取付けられており、ベルト１４を感染症患者Ａの腰部に取付けることによって、給排気装置６を感染症患者Ａの腰部に保持することができる。
【００１７】
次に、上記した本発明の実施形態１に係る感染症患者搬送用マスク１の取り扱いについて説明する。
【００１８】
例えば新型肺炎（ＳＡＲＳ）などの感染症患者若しくはその疑いのある患者が発生した場合に、搬送スタッフは上記した感染症患者搬送用マスク１と給排気装置７を持って、患者がいる場所に駆けつける。この際、搬送スタッフは防護マスク、状況によっては防護服も同時に身につけて防備している。
【００１９】
そして、図１、図２に示したように、感染症患者搬送用マスク１のマスク本体２を感染症患者（感染症の疑いのある患者も含む）Ａの頭部全体を覆うようにして被せ、マスク下部２ａを感染症患者Ａの首部の周囲に位置させる。この際、マスク下部２ａは伸縮性を有し、且つその周面に沿って取付けられている帯状のゴム材（不図示）が伸びることによって感染症患者Ａの頭部が容易に入り、感染症患者Ａの頭部が入った後はゴム材（不図示）が縮んでマスク下部２ａが感染症患者Ａの首部に密着する。
【００２０】
マスク下部２ａが感染症患者Ａの首部に密着されて、マスク本体２の位置がずれないように保持されることによって、湾曲面状のゴーグル部３が感染症患者Ａの顔面の目、鼻、口の前面近傍に隙間を設けて保持される。よって、感染症患者Ａの顔面の目、鼻、口にゴーグル部３が密着することが防止されるにより、感染症患者Ａの視界及び呼吸が妨げられることはない。なお、感染症患者搬送用マスク１のマスク本体２の感染症患者Ａへの装着は、感染症患者自身又は搬送スタッフによって行う。
【００２１】
そして、面ファスナー（例えば、マジックテープ（商標名））式のベルト部材４でマスク下部２ａ周囲をしっかり留めて、感染症患者Ａの首部周囲での良好なシール性とフィット感を確保する。そして、ベルト１４を感染症患者Ａの腰部に取付けて、給排気装置６を感染症患者Ａの腰部の脇腹近傍に保持する。
【００２２】
そして、管７の先端に給排気装置６の排気用接続部８を接続し、モータ１１を駆動してファン１２を回転させて一定量の排気を行い、マスク本体２内を大気圧に対して少し負圧にし、マスク本体２内の汚染された空気がマスク下部２ａと感染症患者Ａの首部周囲の間などから外部に漏れるのを確実に防止する。この際、フィルター部５ａ、５ｂを通してマスク本体２内に汚染されていない新鮮な空気が供給され、給排気装置６内の汚染除去フィルター１０で細菌やウィルスの透過を防止して汚染のないクリーンな空気を排気する。これにより、マスク本体２内の換気を行うことができるので、感染症患者Ａの安定して良好な呼吸動作を確保することができる。
【００２３】
そして、この状態で感染症患者Ａ自身で歩行してもらい、例えば近くに待機させている救急車に乗せて専用の医療施設に移送する。そして、マスク本体２で頭部を覆った感染症患者Ａを専用の医療施設に搬送した後においては、この感染症患者搬送用マスク１を廃棄（焼却）処分し、給排気装置６は、内部の汚染除去フィルター１０を交換して再利用する。
【００２４】
このように本実施形態に係る感染症患者搬送用マスク１は、コンパクトで手軽に持ち運びできるので、感染症患者（若しくはその疑いのある患者）がどこで発生しても迅速に駆けつけて、感染症患者の頭部をマスク本体２で覆うだけで、素早く容易に感染症患者を搬送することができ、多数の感染症患者が発生した場合でも迅速に対処することができる。
【００２５】
また、感染症患者の頭部をマスク本体２で覆った状況で、マスク本体２内を汚染除去フィルター１０を通して排気して負圧にすることにより、マスク本体２内の汚染された空気が外に漏れることはないので、サポートするする搬送スタッフの安全を確実に確保することができ、かつ周囲の環境汚染を防止することができる。
【００２６】
更に、感染症患者搬送用マスク１は、製作も容易なので低コスト化を図ることができ、かつ収容スペースも小さくて済むので、使用しないときは狭いスペースに多数収納して保管しておくことができる。
〈実施の形態２〉
上記した実施形態１では、管７の先端に給排気装置６の排気用接続部８を接続してマスク本体２内を負圧にする構成であったが、本実施形態では、図４に示すように、管７の先端に給排気装置６の給気用接続部９を接続して、感染症患者がマスク本体２を被ったときにマスク本体２内を正圧にする構成である。他の構成は上記した実施形態１と同様であり、重複する説明は省略する。
【００２７】
即ち、管７の先端に給排気装置６の給気用接続部９を接続することにより、図２に示す内部のファン１２の回転によって汚染除去フィルター１０を通して汚染のない外気を給気し、感染症患者Ａの頭部を覆ったマスク本体２内が大気圧に対して少し高くなるように正圧にする。
【００２８】
マスク本体２内を正圧にする状況としては、例えば感染症患者（若しくはその疑いのある患者）が発生した特定地域が既に細菌やウィルスによって重度に汚染されている場合が想定される。このような状況下においても、上記構成の感染症患者搬送用マスク１のマスク本体２を感染症患者の頭部全体を覆うようにして被せることによって、細菌やウィルスによって汚染されている空気がマスク本体２内に入ることが防止され、迅速に汚染されていない安全な地域まで移動させることができる。
【００２９】
この際、搬送スタッフも同様に、上記構成の感染症患者搬送用マスク１のマスク本体２を被ることにより、細菌やウィルスによって汚染されている空気がマスク本体２内に入ることが防止され、搬送スタッフの安全を確保することができる。なお、搬送スタッフは、全身に給排気装置を備えた防護服を着用するようにしてもよい。汚染されていない安全な地域まで移動した後は、上述した実施形態１のように給排気装置６の排気用接続部８を管７に接続してマスク本体２内を負圧してから、例えば近くに待機させている救急車に乗せて専用の医療施設に移送する。
【００３０】
また、上述した各実施形態では、給排気装置６を感染症患者Ａの腰部の脇腹近傍に保持する構成であったが、これに限定されることなく、例えば給排気装置６を感染症患者Ａの肩部又は上腕部に保持部材によって保持するようにしてもよい。
【００３１】
なお、上述した感染症患者搬送用マスク１は感染症患者以外にも、感染症患者搬送用マスク１の両側に取付けるフィルター部材５ａ、５ｂと、給排気装置６内の汚染除去フィルター１０を適切なフィルターに変えることによって、例えば放射能や化学ガスなどで汚染された患者を搬送する場合にも用いることができる。
【図面の簡単な説明】
【００３２】
【図１】本発明の実施形態１に係る感染症患者搬送用マスクを示す正面図。
【図２】本発明の実施形態１に係る感染症患者搬送用マスクを示す後面図。
【図３】本発明の実施形態１に係る感染症患者搬送用マスクに接続される給排気装置を示す一部破断断面図。
【図４】本発明の実施形態２に係る感染症患者搬送用マスクを示す正面図。
【符号の説明】
【００３３】
１        感染症患者搬送用マスク
２        マスク本体
２ａ      マスク下部
３        ゴーグル部
４        ベルト部材
５ａ、５ｂ        フィルター部
６        給排気装置
７        管
８        排気用接続部
９        給気用接続部
１１      汚染除去フィルター
１２      ファン
【図１】
2005185749.tif 000003
【図２】
2005185749.tif 000004
【図３】
2005185749.tif 000005
【図４】
2005185749.tif 000006